(57)【要約】【課題】  十分な強度剛性を得て固定基部が変形し難く、ビーチパラソルが傾き難く、固定基部と上方の砂との間で隙間空間が生じ難く、砂の圧力が固定基部に十分作用し、不動状態を確実に安定的に維持でき、構成簡素で、製造し易く、量産に適し、コストを低減でき、経済的に優れ、耐蝕性に優れ、取扱い容易で、使い勝手に優れた固定具を提供する。【解決手段】  ポール１０に外装する取付筒部２と、取付筒部２に一体的に連設する略円盤状の固定基部１とからなり、取付筒部２の雌ネジ孔５に螺着可能でポール１０に圧止可能な止ネジ６を設け、固定基部１は、取付筒部２に周設する波形円板３と、波形円板３の外周部分に一体的に周設する傾斜立設片４とからなり、傾斜立設片４は、斜上方に拡開する傾斜状態に形成し、波形円板３は、上方に向って湾出する周設凸部と、下方に向って湾出する周設凹部とを、放射方向に於いて交互に配して形成する。【選択図】図２
0003105578.tif 000002
【実用新案登録請求の範囲】
【請求項１】
ビーチパラソルのポールの下部に装着されて、ポールの下部と共に砂内に埋設されるビーチパラソル用固定具であって、ポールに外装される略円筒状の合成樹脂製取付筒部と、この取付筒部に一体的に連設される略円盤状の合成樹脂製固定基部とからなり、取付筒部には雌ネジ孔を設け、この雌ネジ孔に螺着可能で且つその先端部がポール外表面に圧止可能となるような合成樹脂製止ネジを設け、固定基部は、取付筒部に周設される波形円板と、この波形円板の外周部分に一体的に周設される傾斜立設片とからなり、傾斜立設片は、外方に行くに従って斜上方に拡開するような傾斜状態に形成され、波形円板は、上方に向って湾出するような周設凸部と、下方に向って湾出するような周設凹部とが、放射方向に於いて交互に配されるように形成したことを特徴とするビーチパラソル用固定具。
【請求項２】
固定基部の外径寸法を、ポールの外形寸法の約４倍以上に構成したことを特徴とする請求項１記載のビーチパラソル用固定具。
【考案の詳細な説明】
【技術分野】
【０００１】
本考案は、主に、ビーチパラソルのポールの下部に装着して、ポールの下部と共に砂内に埋設することにより、風等の影響でビーチパラソルが倒れたり、飛ばされたりすることがないように工夫したビーチパラソル用固定具に関するものである。
【背景技術】
【０００２】
従来、この種のビーチパラソル用固定具としては、例えば、特許文献１に示すようなものが開示されており、これは、ビーチパラソルのパイプの砂に差込む部分に、砂の重みを受ける面積のある板（円板）を固定し、ビーチパラソルを砂浜に立てることにより、砂の重みで風が吹いてもビーチパラソルが飛び難くなるようにしたものである。
【０００３】
【特許文献１】実用新案登録第３０８２６１２号公報
【考案の開示】
【考案が解決しようとする課題】
【０００４】
しかしながら、前述の如きビーチパラソル用固定具にあっては、砂の重みを受ける面積のある板（円板）が、ある程度大きく且つ偏平な円板状であるため、十分な強度や剛性が得られ難い難点があった。すなわち、強い風が吹いた時に、板（円板）が変形し易く、ビーチパラソルが傾き易い難点があった。更に、ビーチパラソルが傾いたときに、板（円板）が傾くと、上方の砂との間で隙間空間が生じ、砂の圧力が板（円板）部分に十分作用しなくなる難点等もあった。
【０００５】
しかして、本考案は、前述の如き課題等を達成できるようにするのは勿論のこと、更に、耐蝕性に優れ、取扱いが容易で、使い勝手に優れ、構成が簡素で、製造し易く、量産に適し、製造コスト等を低減でき、経済的にも優れたビーチパラソル用固定具を提供できるようにすべく案出されたものである。
【課題を解決するための手段】
【０００６】
そのため、本考案の請求項１にあっては、ビーチパラソルＢのポール１０の下部に装着されて、ポール１０の下部と共に砂内に埋設されるビーチパラソル用固定具Ａであって、ポール１０に外装される略円筒状の合成樹脂製取付筒部２と、この取付筒部２に一体的に連設される略円盤状の合成樹脂製固定基部１とからなり、取付筒部２には雌ネジ孔５を設け、この雌ネジ孔５に螺着可能で且つその先端部がポール１０外表面に圧止可能となるような合成樹脂製止ネジ６を設け、固定基部１は、取付筒部２に周設される波形円板３と、この波形円板３の外周部分に一体的に周設される傾斜立設片４とからなり、傾斜立設片４は、外方に行くに従って斜上方に拡開するような傾斜状態に形成され、波形円板３は、上方に向って湾出するような周設凸部と、下方に向って湾出するような周設凹部とが、放射方向に於いて交互に配されるように形成する手段を採用した。
【０００７】
また、本考案の請求項２にあっては、固定基部１の外径寸法を、ポール１０の外形寸法の約４倍以上に構成する手段を採用した。
【考案の効果】
【０００８】
従って、本考案の請求項１記載のビーチパラソル用固定具Ａによれば、固定具Ａ全体（特に、固定基部１）は、十分な強度や剛性が得られるようになり、強い風が吹いた時でも、固定基部１が変形し難く、ビーチパラソルＢが傾き難いものとなる。更に、固定基部１と上方の砂との間で隙間空間が生じ難く、砂の圧力が固定基部１部分に十分作用して、ビーチパラソルＢの不動状態を確実に且つ安定的に維持できるものとなる。
しかも、構成が簡素で、製造し易く、量産に適し、製造コスト等を低減でき、経済的にも優れた固定具Ａとなる。加えて、耐蝕性にも優れ、取扱いが容易で、使い勝手に優れたものとなる。
【０００９】
また、本考案の請求項２記載のビーチパラソル用固定具Ａによれば、ビーチパラソルＢの不動状態をより確実に且つ安定的に維持できるようになる。
【考案を実施するための最良の形態】
【００１０】
以下、本考案を図示例に基づいて説明すると、次の通りである。
本考案は、主に、ビーチパラソルＢのポール１０の下部に装着されて、ポール１０の下部と共に砂内に埋設されるビーチパラソル用の固定具Ａである。
そして、本考案の固定具Ａは、ポール１０に外装される略円筒状の合成樹脂製取付筒部２と、この取付筒部２に一体的に連設される略円盤状の合成樹脂製固定基部１とからなるものである。
更に、取付筒部２には雌ネジ孔５を設け、この雌ネジ孔５に螺着可能で且つその先端部がポール１０外表面に圧止可能となるような合成樹脂製止ネジ６を設けてある。
加えて、固定基部１は、取付筒部２に周設される波形円板３と、この波形円板３の外周部分に一体的に周設される傾斜立設片４とからなる。
しかも、傾斜立設片４は、外方に行くに従って斜上方に拡開するような傾斜状態に形成され、波形円板３は、上方に向って湾出するような周設凸部と、下方に向って湾出するような周設凹部とが、放射方向に於いて交互に配されるよう形成したものである。
【実施例】
【００１１】
前記固定基部１は、例えば、取付筒部２の下端縁部分に一体的に周設されると共に、比較的大きな略フランジ状に構成されており、砂浜の砂内に埋設されて、上方の砂の重量を確実に受け止め、ビーチパラソルＢが受ける風の力等に抗して、固定具Ａ自体（及びビーチパラソルＢのポール１０）の不動状態を維持できるように形成したものである。
尚、固定基部１は、取付筒部２の上端部分や中間部分に周設しても良い。
【００１２】
また、固定基部１の外径寸法は、ポール１０の外形寸法の約４倍以上が望ましい。すなわち、固定基部１上方の砂の重量を多くすることができ、ビーチパラソルＢが受ける風の力等に抗して、固定具Ａ自体（及びビーチパラソルＢのポール１０）の不動状態がより維持し易く、しかも、取扱い易いものとなる。
ところで、固定基部１の外径寸法は、具体的には、ポール１０の外径が約２３〜３３ｍｍで、１３０〜１５０ｍｍとなる。
【００１３】
前記取付筒部２は、例えば、ビーチパラソルＢのポール１０に摺動自在に外装できるような略短円筒状に構成されており、ポール１０の任意の位置に固定具Ａを確実に且つ安定的に取付けられるように構成されている。
尚、取付筒部２の内径は、ポール１０の外径より僅かに大きく設定され、取付筒部２がポール１０をスムーズに摺動できるようにしてある。
【００１４】
前記波形円板３は、例えば、放射方向に沿った縦断面が上方に向って湾出するように形成されると共に、取付筒部２の筒芯を中心として平面略円環状に形成されるような周設凸部と、放射方向に沿った縦断面が下方に向って湾出するように形成されると共に、取付筒部２の筒芯を中心として平面略円環状に形成されるような周設凹部とが、放射方向に於いて交互に配されるように形成したもので、放射方向に於いて比較的大きなうねりの波形となるような波紋状に構成されている。
すなわち、従来例のような平坦な円板状のものに比べて、固定基部１全体の強度や剛性がかなり高くなるように形成してある。しかも、砂に馴染み易くなり、より安定した埋設状態（不動状態）を維持できるように形成してある。
【００１５】
前記傾斜立設片４は、例えば、波形円板３の外周縁から斜上方に向って拡開するように形成されると共に、取付筒部２の筒芯を中心として平面略円環状に形成されており、波形円板３上方の砂を確実にキャッチして、波形円板３上方の砂の重量を確実に受け止められるように形成されている。しかも、ビーチパラソルＢを砂浜にセットする際に、砂浜に掘った穴に固定具Ａをスムーズに入れ易くなるように形成してある。
【００１６】
前記雌ネジ孔５は、例えば、取付筒部２の周壁部分の適宜位置に適数設けられるもので、止ネジ６を確実に且つ簡単に螺着できるものであれば良い。すなわち、雌ネジ孔５を複数設けて、ポール１０への取付状態がより強固となるようにしても良い。
【００１７】
前記止ネジ６は、例えば、ドライバーやスパナ等の工具が無くても手指で簡単に締め付け可能となるようなものが望ましく、しかも、十分な強度が得られ、耐蝕性の優れた適宜合成樹脂材で構成されたものが望ましい。
【００１８】
ところで、固定具Ａの具体的構成、形状、寸法、材質、ポール１０への取付位置、固定基部１の具体的構成、形状、寸法、材質、取付筒部２の具体的構成、形状、寸法、材質、波形円板３の具体的構成、形状、寸法、材質、周設凹部の具体的形状、寸法、数、配設位置、周設凸部の具体的形状、寸法、数、配設位置、傾斜立設片４の具体的構成、形状、寸法、材質、雌ネジ孔５の具体的構成、寸法、数、配設位置、止ネジ６の具体的構成、形状、寸法、材質、数、配設位置、ビーチパラソルＢの具体的構成、形状、寸法、材質、ポール１０の具体的構成、形状、寸法、材質等は図示例のもの等に限定されることなく、適宜自由に設定、変更できるものである。
【００１９】
本考案の固定具Ａは、前述の如く構成されており、次に、その使用例について説明すると、先ず、砂浜の所望位置に固定具Ａの外形寸法より大きく且つ所定深さの穴を掘る。
そして、固定具Ａの取付筒部２をビーチパラソルＢのポール１０の下部に外装させると共に、止ネジ６によって固定具Ａをポール１０に固定する。
それから、ポール１０の下端部分を前記穴の底部に突き刺すと共に、穴の底部に固定具Ａを圧接させる。
その後、穴内に砂を詰め、固定具Ａ上方の砂の重量によって、ビーチパラソルＢが風によって、傾いたり、倒れたり、ポール１０が抜けたりするのを確実に防止できるようにする。
【図面の簡単な説明】
【００２０】
【図１】本考案のビーチパラソル用固定具を例示する分解斜視図である。
【図２】本考案のビーチパラソル用固定具を例示する縦断面図である。
【図３】本考案のビーチパラソル用固定具の使用状態例を示す断面図である。
【符号の説明】
【００２１】
Ａ    固定具
１    固定基部            ２    取付筒部
３    波形円板            ４    傾斜立設片
５    雌ネジ孔            ６    止ネジ
Ｂ    ビーチパラソル
１０  ポール
【図１】
0003105578.tif 000003
【図２】
0003105578.tif 000004
【図３】
0003105578.tif 000005